(57)【要約】      （修正有）【課題】従来品は、音が出たり邪魔で美観を損ね、効果の及ぶ範囲が狭いものであった。【解決手段】複数の磁石１を同一極を同一方向に向けて配置し、各磁石１を磁性回路をつくる棒状部材２を介して連結させ、各棒状部材２をスイッチ１８を設けて断続自在とし、この状態を保持するワイヤー３を設け、ワイヤー３の複数箇所にフック部を設けたことを特徴とする鳩除け磁石装置。【効果】ベランダなどの長い範囲に、引き張っても、手摺に接着しても使用でき、鳩が忌避する変化する磁場を効率良く発生させ、構造が簡単で、音を出さず、邪魔にならず、美観を損なわずに鳩を撃退する効果がある。【選択図】図１
2007300905.tif 000002
【特許請求の範囲】
【請求項１】
複数の磁石を同一極を同一方向に向けて配置し、各磁石を磁性回路をつくる棒状部材を介して連結させ、各棒状部材を断続自在としたことを特徴とする鳩除け磁石装置。
【請求項２】
複数の棒状部材の接続部分を断続するスイッチを設けたことを特徴とする請求項１記載の鳩除け磁石装置。
【請求項３】
複数の磁石と複数の棒状部材を断続自在な状態に保持するワイヤーを設け、ワイヤーの複数箇所にフック部を設けたことを特徴とする請求項１又は請求項２記載の鳩除け磁石装置。
【発明の詳細な説明】
【技術分野】
【０００１】  本発明は、鳩除け磁石装置に関する。
【背景技術】
【０００２】（イ）従来、反射板に永久磁石を付けて吊り下げ、揺らして鳩の侵入を防止しようとする      ものがあった。（下記特許文献１参照）
（ロ）また、ばねの先に磁石をつけて磁石を揺らせて鳩の侵入を防止しようとするものが      あった。（下記特許文献２参照）
（ハ）また、糸を網のように張り巡らせ、それに磁石を取り付けて鳩の侵入を防止しよう      とするものがあった。（下記特許文献３参照）
（ニ）また、永久磁石又は電磁石の極性を交互にＮとＳの関係になるように並べて鳩の侵      入を防止しようとするものがあった。（下記特許文献４参照）【０００３】
【特許文献１】特願２０００−２３８２９０
【特許文献２】特願平６−１８０４９８
【特許文献３】特願平８−３４５０９７
【特許文献４】特願平４−３５５２５
【発明が解決しようとする課題】
【０００４】以上に述べた従来のものには次のような欠点があった。
（ａ）文献１のものにあっては、効果の範囲が限られるという欠点があった。
（ｂ）また、文献２のものにあっては、置き場所が必要で使い勝手が悪いという欠点があった。
（ｃ）また、文献３のものにあっては、見栄えが悪く、人の行動に邪魔になるという欠点があった。
（ｄ）また、文献４のものにあっては、設置場所が限られるという欠点があった。
【０００５】  本発明は、このような従来の構成が有していた問題や欠点を解決しようとするものである。
【課題を解決するための手段】
【０００６】請求項１の発明は、複数の磁石１を同一極を同一方向に向けて配置し、各磁石１を磁性回路をつくる棒状部材２を介して連結させ、各棒状部材２を断続自在としたことを特徴とする鳩除け磁石装置とした。
【０００７】請求項２の発明は、複数の棒状部材２の接続部分４を断続するスイッチ１８を設けたことを特徴とする請求項１記載の鳩除け磁石装置とした。
【０００８】請求項３の発明は、複数の磁石１と複数の棒状部材２を断続自在な状態に保持するワイヤー３を設け、ワイヤー３の複数箇所にフック部５を設けたことを特徴とする請求項１又は請求項２記載の鳩除け磁石装置とした。
【発明の効果】
【０００９】  風車に磁石が付いた鳩除けのように多数個を設置する必要がなく、ベランダの端から端まで１本で、長い範囲の鳩除けができるという効果がある。
【００１０】  また、引き張ったり、貼り付けたり、設置が手軽に、自由にできるという効果がある。
【００１１】  また、見栄えが悪くなくて、人の行動の邪魔にならないという効果がある。
【００１２】  また、棒状部材２を使用することでスイッチ１８を磁石１からやや離して設置でき、磁場の影響がスイッチ１８の機能に影響しにくいという技術的な効果がある。
【００１３】  また、廉価な棒状部材２を使用することにより、高価な永久磁石の使用は少ない数でも、広い範囲に磁場の影響を及ぼすことができるという経済的な効果がある。
【００１４】  また、永久磁石を使いながら、その磁場を変化させるためだけに電磁石を使うので、電磁石のみで磁場を発生させた場合に比べて電力消費が極端に少なくて済むという効果がある。
【発明を実施するための最良の形態】
【００１５】  以下、本発明の実施の形態を図１〜図８に基づいて説明する。【００１６】  図１においては、複数の磁石１を同一極を同一方向に向けて配置し、各磁石１を磁性回路をつくる棒状部材２を介して連結させ、各棒状部材２を断続自在とした。なお、ワイヤー３の材質にステンレスばねワイヤーを使用して、磁石１や棒状部材２に接する状態で直接沿わせた例である。この例では棒状部材２は平板状の断面を有しているが、円形でも、角形でもよい。また断面積は磁性回路を作るに必要にして十分な棒状部材２の量が確保できる面積があればよい。また、この例では平板状の磁石１を使い、棒状部材２も平板状にして、これに、ワイヤー３に設けたフック部５の面を合わせて全体として凹凸が少ないテープ状に構成し、フック部５において保護材６に孔８を有しているものである。なお図１においてはワイヤー３や電源線１０は太さを省略して１本の線で表し、電源線１０は数本分を１本の線で表している。【００１７】  図２においては、複数の磁石１と複数の棒状部材２を断続自在な状態に保持するワイヤー３を設け、ワイヤー３の複数箇所にフック部５を設けた。【００１８】  図３においては、複数の棒状部材２の接続部分４を断続するスイッチ１８を設けた。この例では
スイッチ１８に可動部１９が一定角度で往復の回転をするロータリーソレノイドスイッチ７を使用しているが、スイッチ１８は棒状部材２を断続自在とできるものであれば、この形式には限らない。なお棒状部材２はこの例のように磁石１に沿わせて設けたものでも良く、図５に示すように磁石１の長手方向の端部２０に接続されたものでも良い。またスイッチ１８は棒状部材２の断面を一般断面に比して薄い断面にした例を示しているが、図６のように細い断面にしてもよい。またスイッチ１８の可動部１９の例では断続自在とした部分を絶縁材料で構成して遮断することにより断続の動きを断の状態にする例を示しているが、図７のように隙間をもって設けられた断続自在とした部分をスイッチ１８の可動部１９で抑え込んで接続させるものでも良い。またこの例では棒状部材２の断続自在とした部分を互いに直接に接触させるものであるが、図８のように、スイッチ１８の可動部１９の先端に磁性回路を作る材料の接片２１を有して、隙間をもって設けられた棒状部材２の双方を接片２１が橋渡しする構造のものであっても良い。図３は各棒状部材２を断続自在とした一例を示したものであるが、断続自在とする方法は、下記図５、図６、図７、図８に示す例を組み合わせて構成できるいずれの方法でも良い。【００１９】  図４においては、ベランダに設置した例を示す斜視図であり、断続通電器９との位置関係や庇１３から下がった金具棒１４にスプリング１５で引き張っている関係や、手摺１６との関係及び壁面１２との位置関係等を示している。【００２０】  図５においては、【００２１】  以下、上記構成の動作を説明する。
図１を例にとれば、複数の磁石１を同一極を同一方向に向けて直列に配置し、磁性回路をつくる棒状部材２を介して連結させ、各棒状部材２を断続自在とするスイッチ１８を設けた、断続の動きの断の状態では小さな複数の磁性回路を構成し、断続の動きの続の状態では、大きな磁性回路を構成するので、断続させる都度、毎回、磁場が大きく変化して、鳩が忌避して近づかない変化する磁場を発生させ、鳩除けの働きをする。なお、ワイヤー３の複数箇所にフック部５を設けて沿わせたから、ワイヤー３に引き張りの力を負担させることができて、取り扱いにも、空間への引き張りの際にも装置を痛めることがない。また、保護材６でテープ状に包み込んだことで、ワイヤー３に重量を保持させたり、接着剤等で任意のところに貼ることができる。また、空間に引き張るような場合に使うものは、この形状に拘らず、磁石１や棒状部材２を平板状の断面でなく、円形や、角形にして、フック部５を相近接して設け、保護材６を例えば熱収縮性の樹脂チューブなどを被せたもので構成した際に、フック部５だけが突出して、この近接したフック部５が突出した間に保護材６の上から引き張り用のベルトで固定する方法もある。なお、図１では、ワイヤー３は太さを省略して一本の線で表し、スイッチ電源線１１は数本を１本の線で表している。【００２２】  図２を例にとれば、ワイヤー３の複数箇所に、連続したまま一筆書きの状態み曲げてフック部５を構成したことにより、途中に線材の切り口や繋ぎ目が発生せず、装置をいためることがない。またワイヤー３をばね剛性を有する線材で構成することで、例えば線径が１．２ミリメートル程度の細いワイヤー３でも、このフック部５で空間に引き張る力にも十分耐えることが出来る。また形状は例えばベランダの手摺１６に接着剤１７で接着して使用するに適したものとしたが、同時に同じものをフック部５の保護材６に孔８を設けてあるから、ベランダの庇１３に付いている金具棒１４等にスプリング１５で引き張るような使い方も出来る。なおステンレスばねワイヤーを使用したことから材料の性質上、これが導通して、棒状部材２を断続させる働きの妨げとなるようなことがない。なお、ワイヤー３の太さは省略して１本の線で表している。【００２３】  図３を例にとれば、カムを構成する可動部が一定角度を往復回転するロータリーソレノイドスイッチ７により、可動部１９が、棒状部材２の薄い端部が互いに接触した間に入り、断続の動きの断の状態にして、互いに接触した部分を引き離し、可動部１９が回転して薄い端部が接触を引き離された隙間から抜け出して、薄い端部が圧縮された抑えばね２２の反力を借りて、互いに接触して、断続の動きの続の状態になる。なお、棒状部材の厚みがスイッチ１８の部分では極端に薄くなるが、その性質から、接触した部分の巨視的に見た際の小さな断面積とは関係なく、例えば磁石１に長い錐の先端を接触させて大きな磁場を構成させた場合のように、接触した部分の原子配列組織の中に微視的に見た際のＮ極とＳ極の部分を構成し、それが瞬時に全体の棒状部材２の磁化に波及する働きをする。【００２４】  図４を例にとれば、施行に関しては、断続通電器９を電源線１０を通しやすい側の壁面１２に邪魔にならないように取り付けることができ、ばね剛性を有するワイヤー３を入れてあるから、長さが余った部分を壁面１２に掛けて収納できる。磁性回路を発生させる部分は、庇１３に付いている金具棒１４にスプリング１５などでフック部５の孔８を使って引き張り、また、ベランダの手摺１６に接着剤１７で貼り付ける。なお、ベランダの床面の鳩除けに関して磁場の影響を強めるために、図４の施行例以外に床面に近く手摺１６内側下部の長手方向に接着剤１７で貼り付けることもできる。【００２５】  図５を例にとれば、図１では棒状部材２を磁石１に沿わせて設けたが、このように、棒状部材２を磁石１の長手方向の端部２０に接続することも出来る。【００２６】  図６を例にとれば、棒状部材２の断続自在とした部分を一般断面に比較してきわめて細い断面にすることも出来る。【００２７】  図７を例にとれば、隙間をもって設けられた断続自在とした部分を、スイッチ１８の可動部１９で抑え込んで接続させることができる様子を示している。なお、スイッチ電源線１１は数本分を１本の線で表している。【００２８】  図８を例にとれば、スイッチ１８の可動部１９の先端に磁性回路を作る材料の接片２１を有して、隙間をもって設けられた棒状部材２の双方を橋渡しする構造にすることも出来る。なお、スイッチ電源線１１は数本分を１本の線で表している。【００２９】  以上のように、本実施形態によれば簡便、高性能、静粛な鳩除け装置を提供できるものである。
【図面の簡単な説明】
【００３０】
【図１】  平面図
【図２】  ワイヤー３とフック部５の平面図
【図３】  接続部分４とスイッチ１８を示すＡ−Ａ線断面図
【図４】  ベランダへの施行状態斜視図
【図５】  棒状部材２と磁石１の関係の事例を示す平面図
【図６】  棒状部材２を断続させる部分の事例の平面図
【図７】  スイッチ１８で断続させる状態の事例の平面図
【図８】  接片２１が隙間を橋渡しする事例の側面図
【符号の説明】
【００３１】１    磁石
２    棒状部材
３    ワイヤー
４    接続部分
５    フック部
６    保護材
７    ロータリーソレノイドスイッチ
８    孔
９    断続通電器
１０  電源線
１１  スイッチ電源線
１２  壁面
１３  庇
１４  金具棒
１５  スプリング
１６  手摺
１７  接着剤
１８  スイッチ
１９  可動部
２０  端部
２１  接片
２２  抑えばね
【図１】
2007300905.tif 000003
【図２】
2007300905.tif 000004
【図３】
2007300905.tif 000005
【図４】
2007300905.tif 000006
【図５】
2007300905.tif 000007
【図６】
2007300905.tif 000008
【図７】
2007300905.tif 000009
【図８】
2007300905.tif 000010